(57)【特許請求の範囲】
【請求項１】
排水パイプの上部に傘のように開閉する漏斗状の集水部が設けられ、この集水部は、外側がシートで覆われた親骨と、該親骨の一端が回転自在に取り付けられた排水パイプの上部における固定リングと、該固定リングに下端が固定されたシャフトと、該シャフトにスライド自在に取り付けられたスライドパイプと、該スライドパイプと親骨とにわたって取り付けられた支持骨とからなり、スライドパイプに取り付けた目皿状の接合板がドレーン内に取り付けられてスライドパイプが設置され、該スライドパイプに沿ってシャフトが上側に引き上げられることにより開かれた集水部がドレーンの下側に設置されたことを特徴とするドレーン用仮設排水管。
【請求項２】
シャフトの上端には取手が取外自在に取り付けられたことを特徴とする請求項１に記載のドレーン用仮設排水管。
【発明の詳細な説明】
【０００１】
【発明の属する技術分野】
本発明はドレーン用仮設排水管に関するものである。
【０００２】
【従来の技術】
建物が完成するまでの間、ドレーン孔からの雨水は、図４に示すような仮設排水管１５で処理されていた。この仮設排水管１５はドレーンの孔１６に設置した治具１７に塩化ビニル製の接続管１８をねじ込み、この接続管１８に差し込んだサニーホース１９をなまし線２０で結束していた。
【０００３】
【発明が解決しようとする課題】
しかし、上記の仮設排水管は全て天井側から取り付けられていたため、階高の高い階や狭い場所では危険であり、かつ手間のかかる作業であった。
【０００４】
本発明はこれらの問題に鑑みてなされたものであり、その目的は、簡単かつ安全に設置できるドレーン用仮設排水管を提供することである。
【０００５】
【課題を解決するための手段】
以上の課題を解決するためのドレーン用仮設排水管は、排水パイプの上部に傘のように開閉する漏斗状の集水部が設けられ、この集水部は、外側がシートで覆われた親骨と、該親骨の一端が回転自在に取り付けられた排水パイプの上部における固定リングと、該固定リングに下端が固定されたシャフトと、該シャフトにスライド自在に取り付けられたスライドパイプと、該スライドパイプと親骨とにわたって取り付けられた支持骨とからなり、スライドパイプに取り付けた目皿状の接合板がドレーン内に取り付けられてスライドパイプが設置され、該スライドパイプに沿ってシャフトが上側に引き上げられることにより開かれた集水部がドレーンの下側に設置されたことを特徴とする。またシャフトの上端には取手が取外自在に取り付けられたことを含むものである。
【０００６】
天井の上側からドレーンに差し込んで取り付けることができる。階高や作業場の広狭を気にすることなく取り付けることができる。簡単な操作で取り付けることができる。多数回にわたって転用することができる。
【０００７】
【発明の実施の形態】
以下、本発明のドレーン用仮設排水管鋼管（以下仮設排水管という）の実施の形態を図面に基づいて説明する。
【０００８】
仮設排水管１は、図１に示すように、蛇腹ホースなどの排水パイプ２の上部に傘のように開閉する漏斗状の集水部３が設けられて構成されている。この集水部３は親骨４と、固定リング５と、シャフト６と、スライドパイプ７と、支持骨８とからなっている。
【０００９】
また、外側をビニール製のシート９などで覆われた複数の親骨４は、一端が排水パイプ２の上部における固定リング５に回転自在に取り付けられている。また、この固定リング５にはシャフト６の下端が固定され、該シャフト６の上端には取手１０が取外自在に取り付けられている。また、シャフト６にはスライドパイプ７がスライド自在に設けられ、該スライドパイプ７と親骨４とにわたって支持骨８が回転自在に取り付けられている。また、このスライドパイプ７にはシャフト６に固定するための固定ピン１１と、ルーフドレーン１２に設置するための目皿状の接合板１３とが取り付けられている。
【００１０】
このような仮設排水管１は、スライドパイプ７をシャフト６に沿ってスライドさせるか、またはスライドパイプ７を固定してシャフト６をスライドさせると、集水部３が傘のように開閉する。そして、前記スライドパイプ７またはシャフト６を固定ピン１１でシャフト６またはスライドパイプ７に固定すると、集水部３を開いたままで維持することができる。このように集水部３を開いたままにして、接合板１３をドレーン金具取付部１４に接合すると仮設排水管１がルーフドレーン１２に設置される（図１の（１）参照）。
【００１１】
次に、この仮設排水管１の取り付け方法を図２および３に基づいて説明する。はじめに、図２に示すように、スライドパイプ７を取手１０側に引いて集水部３を閉じた状態にする。そして、このままの状態で仮設排水管１をルーフドレーン１２内に挿入して、目皿状の接合板１３をドレーン金具取付部１４に取り付ける。このように接合板１３を取り付けると、スライドパイプ７も固定されるため、このスライドパイプ７をシャフト６がスライドするようになる。
【００１２】
次に、図３に示すように、シャフト６を引き上げると集水部３が開くので、このままの状態で固定ピン１１によりシャフト６をスライドパイプ７に固定すると、仮設排水管１がルーフドレーン１２に設置される。次に、シャフト６の上端から作業者の邪魔にならないように取手１０を取り外す。そして仮設排水管１をルーフドレーン１２から取り外すときに、前記取手１０をシャフト６に取り付けて、前記と反対の順序で取り外す。そして、この仮設排水管１を取り外したルーフドレーン１２にドレーン金具（図示せず）を取り付ける。
【００１３】
なお、この仮設排水管１はルーフドレーン１２に限らず、廊下やバルコニーなどのドレーンにも取り付けることができる。
【００１４】
【発明の効果】
仮設排水管をドレーンに天井の上側から差し込んで取り付けることができる。
【００１５】
階高や作業場の広狭を気にすることなく仮設排水管を取り付けることができる。
【００１６】
仮設排水管を簡単な操作で取り付けることができる。
【００１７】
仮設排水管を多数回にわたって転用することができる。
【００１８】
仮設排水管によって下から雨水を受けることができるので、ドレーンの止水性を高めることができる。
【００１９】
仮設排水管をドレーンに固定することができるので、風などで飛ばされることなく、安全性を高めることができる。
【図面の簡単な説明】
【図１】（１）は仮設排水管の断面図、（２）は（１）のＡ−Ａ線断面図である。
【図２】仮設排水管の取り付け方法を示し、（１）は仮設排水管をルーフドレーン内に差し込む状態の断面図、（２）は接合板をドレーン金物取付部に設置した状態の断面図である。
【図３】仮設排水管をルーフドレーンに設置し、取手を取り外した状態の断面図である。
【図４】従来の仮設排水管の断面図である。
【符号の説明】
１、１５  仮設排水管
２  排水パイプ
３  集水部
４  親骨
５  固定リング
６  シャフト
７  スライドパイプ
９  ビニールシート
１０  取手
１１  固定ピン
１２  ルーフドレーン
１３  接合板
１４  ドレーン金具取付部
１６  ルーフドレーンの孔
１７  治具
１８  接続管
１９  サニーホース
２０  なまし線
【図１】
0003840105.tif 000002
【図２】
0003840105.tif 000003
【図３】
0003840105.tif 000004
【図４】
0003840105.tif 000005